(57)【要約】【課題】  水の膜での音声の減衰が抑制されるドアホン子器を提供する。【解決手段】  ハウジング４においてマイクロホンＭＣの前側に貫設された入力用音穴４１ｐの内面に、後側の内形を前側よりも大きくする厚さ変更段４１ｓを設けた。入力用音穴４１ｐの内周面において、下向きである範囲の下端面の前後の寸法は、上向きである範囲の上端面の前後の寸法よりも小さくなっている。厚さ変更段４１ｓにより、水の膜ＷＤの厚さは下端部よりも上端部で薄くなるから、厚さ変更段４１ｓを設けず入力用音穴４１ｐの下向きの内面の下端部の前後の寸法を入力用音穴４１ｐの上向きの内面の上端部の前後の寸法と同等にする場合に比べ、水の膜ＷＤでの音声の減衰が抑制される。【選択図】図１
2009273038.tif 000002
【特許請求の範囲】
【請求項１】
マイクロホンと、マイクロホンを収納して屋外の施工面に対して固定されるハウジングとを備え、
ハウジングにおいてマイクロホンの前側の部位には、マイクロホンに入力される音を通過させる入力用音穴が前後に貫設されていて、
入力用音穴の内面には、下向きである範囲の下端面の前後の寸法を、上向きである範囲の上端面の前後の寸法よりも小さくする厚さ変更部が設けられていることを特徴とするドアホン子器。
【請求項２】
入力用音穴の内面において下向きである範囲の下端面の後端は、マイクロホンの前端よりも前側に位置していることを特徴とする請求項１記載のドアホン子器。
【請求項３】
厚さ変更部は、入力用音穴の内面において右向きである範囲の右端面の面積と、入力用音穴の内面において左向きである範囲の左端面の面積とを互いに異ならせる形状であることを特徴とする請求項１又は請求項２記載のドアホン子器。
【発明の詳細な説明】
【技術分野】
【０００１】
本発明は、ドアホンシステムで用いられるドアホン子器に関するものである。
【背景技術】
【０００２】
従来から、ドアホンシステムにおいて、屋内に設置されたドアホン親機との通話に用いられるドアホン子器が提供されている。ドアホン子器は、一般に、屋外において、垂直な壁面やサインポール等の施工面に固定される。
【０００３】
この種のドアホン子器において、通話用のマイクロホンやスピーカーが収納されるハウジングの前面（すなわち施工面に向けられる面の反対面）には、マイクロホンに入力される音声を通過させるための入力用音穴と、スピーカーから出力される音声を通過させるための出力用音穴とがそれぞれ設けられる（例えば、特許文献１参照）。
【０００４】
ここで、一般に、マイクロホンはスピーカーに比べて小型であるため、入力用音穴が設けられる範囲は出力用音穴よりも狭い。このため、入力用音穴は雨滴などによる水の膜で閉塞されやすい。そして、入力用音穴が水の膜で閉塞されると、マイクロホンに入力される音声が水の膜において減衰し、通話に支障が生じる可能性がある。
【０００５】
そこで、従来は、入力用音穴に連通して毛細管現象により水を吸収する引水溝をハウジングに設けていた（例えば、特許文献１参照）。この構成によれば、水の膜の形成が抑制される。
【特許文献１】特開２００７−１４３０７９号公報
【発明の開示】
【発明が解決しようとする課題】
【０００６】
しかし、上記の引水溝は、降水量が多い場合などに、入力用音穴に浸入する水の量が吸収可能な水の量を上回ると機能しなくなっていた。
【０００７】
本発明は、上記事由に鑑みて為されたものであり、その目的は、水の膜での音声の減衰が抑制されるドアホン子器を提供することにある。
【課題を解決するための手段】
【０００８】
請求項１の発明は、マイクロホンと、マイクロホンを収納して屋外の施工面に対して固定されるハウジングとを備え、ハウジングにおいてマイクロホンの前側の部位には、マイクロホンに入力される音を通過させる入力用音穴が前後に貫設されていて、入力用音穴の内面には、下向きである範囲の下端面の前後の寸法を、上向きである範囲の上端面の前後の寸法よりも小さくする厚さ変更部が設けられていることを特徴とする。
【０００９】
この発明によれば、入力用音穴を閉塞する水の膜が形成されても、厚さ変更部が設けられた入力用音穴の内面に対して水の表面張力が作用することにより、水の膜の厚さは上端部において下端部よりも薄くなるから、厚さ変更部を設けず入力用音穴の内面において下向きである範囲の下端面の前後の寸法を上向きである範囲の上端面の前後の寸法と同等とする場合に比べ、水の膜での音声の減衰が抑制される。
【００１０】
請求項２の発明は、請求項１の発明において、入力用音穴の内面において下向きである範囲の下端面の後端は、マイクロホンの前端よりも前側に位置していることを特徴とする。
【００１１】
この発明によれば、入力用音穴の内面において下向きである範囲の下端面の後端をマイクロホンの前端よりも後側とする場合に比べ、入力用音穴を閉塞する水の膜の上端部がマイクロホンに達しにくい。
【００１２】
請求項３の発明は、請求項１又は請求項２の発明において、厚さ変更部は、入力用音穴の内面において右向きである範囲の右端面の面積と、入力用音穴の内面において左向きである範囲の左端面の面積とを互いに異ならせる形状であることを特徴とする。
【００１３】
この発明によれば、入力用音穴の内面において左向きである範囲の左端面の面積とを互いに一致させる場合に比べ、水の膜での音声の減衰が抑制される。
【発明の効果】
【００１４】
請求項１の発明によれば、入力用音穴の内面には、下向きである範囲の下端面の前後の寸法を、上向きである範囲の上端面の前後の寸法よりも小さくする厚さ変更部が設けられているので、入力用音穴を閉塞する水の膜が形成されても、厚さ変更部が設けられた入力用音穴の内面に対して水の表面張力が作用することにより、水の膜の厚さは上端部において下端部よりも薄くなるから、厚さ変更部を設けず入力用音穴の内面において下向きである範囲の下端面の前後の寸法を上向きである範囲の上端面の前後の寸法と同等とする場合に比べ、水の膜での音声の減衰が抑制される。
【００１５】
請求項２の発明によれば、入力用音穴の内面において下向きである範囲の下端面の後端は、マイクロホンの前端よりも前側に位置しているので、入力用音穴の内面において下向きである範囲の下端面の後端をマイクロホンの前端よりも後側とする場合に比べ、入力用音穴を閉塞する水の膜の上端部がマイクロホンに達しにくい。
【００１６】
請求項３の発明によれば、厚さ変更部は、入力用音穴の内面において右向きである範囲の右端面の面積と、入力用音穴の内面において左向きである範囲の左端面の面積とを互いに異ならせる形状であるので、入力用音穴の内面において左向きである範囲の左端面の面積とを互いに一致させる場合に比べ、水の膜での音声の減衰が抑制される。
【発明を実施するための最良の形態】
【００１７】
以下、本発明を実施するための最良の形態について、図面を参照しながら説明する。
【００１８】
本実施形態のドアホン子器１は、図２〜図４に示すように、ドアホン親機ＨＳとの間で信号線Ｌｓを介して電気信号を送受信する通信部１１と、来訪者が住人を呼び出すための呼出部１２と、ドアホン親機ＨＳとの通話のための通話部１３と、カメラ１４ａを有してカメラ１４ａによって撮像された画像を示す電気信号である画像信号を通信部１１と信号線Ｌｓとを介してドアホン親機ＨＳへ送信する撮像部１４と、夜間などに撮像部１４が撮像を行うための光源となる４個の赤外発光ダイオード１５ａを有する光源部１５とを備える。
【００１９】
通信部１１は、具体的には例えば、信号線Ｌｓとの間でインピーダンスを整合させる周知のインピーダンス整合回路を備え、通話部１３と撮像部１４と光源部１５とはそれぞれ通信部１１を介してドアホン親機ＨＳによって制御される。
【００２０】
呼出部１２は、来訪者によって押操作される呼出釦１２ａと、呼出釦１２ａが押操作されたときに所定の呼出信号を通信部１１と信号線Ｌｓとを介してドアホン親機ＨＳへ出力する呼出信号生成回路（図示せず）とからなる。
【００２１】
通話部１３は、音声を電気信号である音声信号に変換して通信部１１と信号線Ｌｓとを介してドアホン親機ＨＳへ出力するマイクロホンＭＣと、ドアホン親機ＨＳから信号線Ｌｓと通信部１１とを介して入力された音声信号を音声に変換するスピーカーＳＰとを備える。スピーカーＳＰは、厚さ方向を前後方向（図３の上下方向）に向けた円板形状のコーンＳＰ１と、コーンＳＰ１の後側（図３の下側）に配置され音声信号に従ってコーンＳＰ１を振動させることにより音声を発生させるスピーカー本体ＳＰ２とからなる。
【００２２】
撮像部１４のカメラ１４ａは、レンズと、レンズを介して前方から入力された画像を電気信号に変換する撮像素子（図示せず）とを備える。撮像素子としては、ＣＣＤ（Charge Coupled Device）型やＣＭＯＳ型のものを用いることができる。また、撮像部１４は、カメラ１４ａが出力した電気信号に対して変調等の周知の処理を施すことにより画像信号を生成して通信部１１と信号線Ｌｓとを介してドアホン親機ＨＳへ出力する画像信号生成回路（図示せず）を備える。
【００２３】
ここで、本実施形態のドアホン子器は、例えばドアホン親機ＨＳに火災感知器が接続されている場合において火災感知器で火災が感知された場合などに、ドアホン親機ＨＳによって制御され、通話部１３のスピーカーＳＰからの音声等によって警報を発報する警報動作を行うものである。そして、光源部１５は、例えば光色が赤色であって上記の警報動作の際に点滅駆動される警報用発光ダイオード１５ｂと、既に説明した照明用の赤外発光ダイオード１５ａと、ドアホン親機ＨＳによって制御され赤外発光ダイオード１５ａと警報用発光ダイオード１５ｂとをそれぞれ駆動する光源駆動回路（図示せず）とが一体化された１個の回路部品で構成されている。
【００２４】
上記のような通信部１１と呼出部１２と通話部１３と撮像部１４と光源部１５とは、それぞれ周知技術で実現可能であるので、詳細な図示並びに説明は省略する。
【００２５】
通信部１１と呼出部１２と撮像部１４と光源部１５との各回路部品と、通話部１３のマイクロホンＭＣとスピーカーＳＰとを除く回路部品とは、それぞれプリント配線板２０に実装されて回路ブロック２を構成している。プリント配線板２０には、スピーカー本体ＳＰ２が挿通される円形状のスピーカー挿通穴２０ａが厚さ方向に貫設されている。
【００２６】
また、本実施形態のドアホン子器１は、回路ブロック２のプリント配線板２０よりも小さい端子用基板３０に４個のねじ端子３１が実装されてなる端子ブロック３を備える。端子ブロック３の各ねじ端子３１は、それぞれ例えば図示しない電線を介して通信部１１に接続されている。
【００２７】
さらに、本実施形態のドアホン子器１は、通話部１３が有するマイクロホンＭＣ及びスピーカーＳＰと、回路ブロック２と、端子ブロック３とをそれぞれ収納及び保持するハウジング４を備える。ハウジング４は、図５（ａ）（ｂ）に示すように全体として直方体形状となっている。以下、上下左右は図５（ａ）を基準とし、図５（ｂ）の上下方向を前後方向と呼ぶ。すなわち、プリント配線板２０は呼出釦１２ａとカメラ１４ａと光源部１５とが実装された面を前方に向けており、端子用基板３０はねじ端子３１が実装された面を後方に向けている。上記の上下左右の方向は、本実施形態のドアホン子器１を正しい向きで施工面に固定した状態での施工面に向かっての上下左右の方向に一致する。
【００２８】
ハウジング４は、後面が開口した直方体形状のボディ４１と、ボディ４１の後面の開口に嵌り込む形でボディ４１に機械的に結合してボディ４１の後面の開口を閉塞するカバー４２とを備える。ボディ４１とカバー４２とはそれぞれ例えば合成樹脂成型品からなる。ここで、ボディ４１の下側の壁には２個の係合穴４１ａが左右に並べて上下に貫設され、カバー４２の下端部において係合穴４１ａに対応する位置には２個の係合爪４２ａが左右に並べて下方に突設されている。さらに、カバー４２には３個（２個のみ図示）のねじ挿通穴４２ｂが前後（図３での上下）に貫設されていて、図６に示すようにボディ４１の後面（内底面）においてねじ挿通穴４２ｂに対応する位置には、それぞれねじ穴が後面に開口した円筒形状のねじ止め部４１ｂが後方へ突設されている。そして、各係合爪４２ａの係合穴４１ａへの係合と、それぞれねじ挿通穴４２ｂに挿通されてねじ止め部４１ｂに螺合する３本（２本のみ図示）の結合ねじＳＣ１によるねじ止めとにより、カバー４２はボディ４１に機械的に結合している。
【００２９】
また、本実施形態のドアホン子器１は、屋外の壁面等の施工面（図示せず）に固定されるとともにハウジング４を保持する取付台５を用いて施工面に対して固定される。取付台５は、全体として前面が開口した扁平な直方体形状となっている。また、取付台５の内周面には、前側の内形を後側の内形よりも大きくする段５０が設けられており、ハウジング５は後端部が取付台５に収納されて後面を取付台５の段５０の前面に当接させる。さらに、取付台５の上側の壁には係合穴５１が上下に貫設されており、取付台５の下端部にはねじ穴が前面に開口したねじ止め部５２が前後に貫設されている。また、ボディ４１の下端部には取付台５のねじ止め部５２に螺合する取付ねじＳＣ２が挿通されるねじ挿通穴４１ｃが前後に貫設されるとともに、カバー４２の下端部には前後両側と下方とにそれぞれ開放されて取付ねじＳＣ２を避ける切欠４２ｃが設けられている。さらに、ボディ４１の上面（すなわちハウジング４の上面）には係合凸部４１ｄが設けられており、ハウジング４は、係合凸部４１ｄの係合穴５１への係入と、取付ねじＳＣ２によるねじ止めとによって、取付台５に対して固定される。
【００３０】
ここで、ねじ挿通穴４１ｃはボディ４１の前面の下端部に設けられたねじ用凹部４１ｅ内に開口しており、取付ねじＳＣ２の頭部はねじ用凹部４１ｅ内に収納される。さらに、ボディ４１には、見栄えを改善するために、前方から見て取付ねじＳＣ２を覆うねじ用扉４３が取り付けられている。ねじ用扉４３は、例えば合成樹脂成型品からなり、扁平であって厚さ方向から見て正方形状の本体部４３ａと、それぞれ本体部４３ａの一面から本体部４３ａの厚さ方向に突設された２本の脚部４３ｂと、各脚部４３ｂの先部において他方の脚部４３ｂから離れる方向へ突設された円柱形状の係合凸部４３ｃとを有する。また、ねじ用凹部４１ｅにおいて左右に対向する内面にはそれぞれ係合穴４１ｆが設けられており、各係合凸部４３ｃがそれぞれ係合穴４１ｆに係入することにより、ねじ用扉４３は、前方から見て取付ねじＳＣ２を覆う閉位置と、前方から見て取付ねじＳＣ２を露出させる開位置との間で、左右方向から見た面内でボディ４１に対して回転自在に枢着されている。また、閉位置では、ねじ用扉４３の本体部４３ａにおいて各脚部４３ｂがそれぞれ突設された面の反対面は、ボディ４１の前面と略面一となる。
【００３１】
また、取付台５の底面の中央部には、後方から見てハウジング４の後面の一部を露出させる正方形状の露出穴５３が設けられている。さらに、露出穴５３の上側には、下端部が露出穴５３に連通するとともに前後両側に開放されたねじ挿通切欠５４が設けられ、露出穴５３の下側であってねじ止め部５２の上側には、左右に長い長円形状のねじ挿通穴５５が前後に貫設されていて、取付台５は、ねじ挿通切欠５４に挿通されるねじ（図示せず）と、ねじ挿通穴５５に挿通されるねじ（図示せず）とを用いたねじ止めによって、後面を施工面に向けて施工面に対して固定される。また、取付台５の下端部には、それぞれ取付台５と施工面との間に浸入した水を排出するための２個の排水穴５６が左右に並べて上下に貫設されている。
【００３２】
さらに、カバー４２の左端部には、それぞれ端子ブロック３のねじ端子３１を１個ずつ露出させる４個の端子露出穴４２ｄが上下に並べて前後に貫設されている。さらに、端子露出穴４２ｄの前側の開口の周囲には、後方から見て各ねじ端子３１をそれぞれ囲みねじ端子３１間を絶縁する仕切り凸部４２ｅが前方へ突設されている。ここで、信号線Ｌｓは２線式であって、端子ブロック３の４個のねじ端子３１のうち２個は信号線Ｌｓを介してドアホン親機ＨＳに接続される。すなわち、通信部１１は、ねじ端子３１を介して信号線Ｌｓに接続される。また、残りの２個のねじ端子３１には、別の機器（図示せず）の接続が可能となっており、上記残りの２個のねじ端子３１に接続された別の機器は、ドアホン子器１と信号線Ｌｓとを介してドアホン親機ＨＳに接続される。さらに、回路ブロック２のプリント配線板２０の後面には、上記残りの２個のねじ端子３１について別の機器を接続するか終端するかを切り換えるディップスイッチ（図示せず）が実装されている。カバー４２の中央部には、上記のディップスイッチを露出させるスイッチ露出穴４２ｆが前後に貫設されており、スイッチ露出穴４２ｆを通じて上記のディップスイッチの切換操作が可能となっている。さらに、カバー４２には、例えば合成樹脂成型品からなりスイッチ露出穴４２ｆを閉塞するスイッチ蓋４４が、例えばカバー４２の後面に設けられた凹部（図示せず）への嵌合によって取り付けられる。
【００３３】
また、ボディ４１において呼出釦１２ａの前側には、例えば合成樹脂成型品からなり前方からの押力を呼出釦１２ａに伝達する押釦ハンドル４５が保持されるとともに、ボディ４１には前方から見て呼出釦１２ａを露出させる正方形状の釦挿通穴４１ｇが前後に貫設されている。押釦ハンドル４５は、釦挿通穴４１ｇに挿通される直方体形状の本体部４５ａと、本体部４５ａの外周面の後端部に全周にわたって突設されボディ４１の後側に位置する鍔部４５ｂと、鍔部４５ｂの上端面の左右両端部からそれぞれ上方に突設された腕部４５ｃとを有する。また、ボディ４１の後面において釦挿通穴４１ｇの上側には、左右に対向する２個の枢支凸部４１ｈがそれぞれ後方に突設されている。各腕部４５ｃにはそれぞれ軸凸部４５ｄが左右方向の内向きに突設されていて、各枢支凸部４１ｈにおいて左右方向の外向きの面にはそれぞれ軸凸部４５ｄが挿入される軸受け穴（図示せず）が開口していて、各軸凸部４５ｄがそれぞれ軸受け穴に挿入されることにより、押釦ハンドル４５はボディ４１に対して本体部４５ａを前後に変位させるように回動可能に枢着されている。さらに、鍔部４５ｂの左端部には、前後に扁平であって後面が左側の腕部４５ｃの前面に対し間に隙間を空けて対向するばね部４５ｅが上方へ突設されている。ばね部４５ｅの上端部はボディ４１の後面に弾接しており、ばね部４５ｅのばね力は本体部４５ａの復帰力となる。すなわち、押釦ハンドル４５において本体部４５ａが前方から押力を受けると、押釦ハンドル４５がばね部４５ｅのばね力に抗してボディ４１に対して回動し、本体部４５ａの後面によって呼出釦１２ａが押操作される。その後、本体部４５ａへの押力が解除されると、ばね部４５ｅのばね力によって押釦ハンドル４５は復帰する。
【００３４】
また、ボディ４１においてカメラ１４ａの前側となる左上端部（図６における右上端部）にはカメラ用窓穴４１ｉが前後に貫設されており、ボディ４１には、透光性を有する材料からなりカメラ用窓穴４１ｉを閉塞するカメラ用窓体４６が、例えば超音波溶着のような周知の手段により固着されている。
【００３５】
さらに、ボディ４１において光源部１５の前側となる右上端部（図６における左上端部）には光源用窓穴４１ｊが前後に貫設されており、ボディ４１には、透光性を有する材料からなり光源用窓穴４１ｊを閉塞する光源用窓体４７が、例えば超音波溶着のような周知の手段により固着されている。カメラ用窓体４６及び光源用窓体４７は、それぞれ、偏光フィルタや波長フィルタといった適宜の光学フィルタの機能を有していてもよい。このようなカメラ用窓体４６や光源用窓体４７は周知技術で実現可能であるので、詳細な説明は省略する。
【００３６】
また、スピーカーＳＰはカメラ１４ａの下側に配置されており、回路ブロック２のプリント配線板２０においてカメラ１４ａの下側にはスピーカー本体ＳＰ２が挿通される円形状のスピーカー挿通穴２０ａが前後に貫設され、カバー４２においてスピーカー挿通穴２０ａの後側にはスピーカー本体ＳＰ２の後端が当接するスピーカー支持凸部４２ｇが前方に突設されている。さらに、ボディ４１においてスピーカーＳＰの前側には、それぞれスピーカーＳＰから出力される音を通過させる複数個（図では８個）の出力用音穴４１ｋが前後に貫設されている。出力用音穴４１ｋの後側の開口とスピーカーＳＰとの間には、例えば合成樹脂のフィルムからなり出力用音穴４１ｋからの水の浸入を抑制する防水シート６１が介装されている。この防水シート６１は、スピーカーＳＰから出力される音を通すように薄膜とされている。また、ボディ４１の後面には、それぞれ半円弧形状であって全体として各出力用音穴４１ｋを囲む円環形状を構成しそれぞれコーンＳＰ１の前面に当接する２個の台座凸部４１ｍが左右に並べて後方へ突設されるとともに、それぞれ台座凸部４１ｍと同心の半円弧形状であって後方から見て各台座凸部４１ｍとコーンＳＰ１とを囲む円環形状を構成しコーンＳＰ１の外周面に当接して位置決めする２個の位置決め凸部４１ｎが左右に並べて後方へ突設されている。
【００３７】
さらに、マイクロホンＭＣは光源部１５の右上に配置されており、ボディ４１において光源用窓穴４１ｊの右上（図６における左上）には、マイクロホンＭＣの前端部が挿入される円筒形状のマイクロホン保持筒４１ｏが後方へ突設されている。また、ボディ４１において後方から見てマイクロホン保持筒４１ｏに囲まれた部位には、マイクロホンＭＣに入力される音を通過させるための入力用音穴４１ｐが前後に貫設されている。入力用音穴４１ｐの後側の開口とマイクロホンＭＣとの間には、例えば合成樹脂のフィルムからなり入力用音穴４１ｐからの水の浸入を抑制する防水シート６２が介装されている。この防水シート６２は、マイクロホンＭＣに入力される音を通すように薄膜とされている。
【００３８】
さらに、ボディ４１の下端の係合穴４１ａはカバー４２によっては閉塞されず、カバー４２の係合爪４２ａとボディ４１の係合穴４１ａの内面との間には隙間が空く。そして、ハウジング３内に浸入した水は、上記の隙間を通じて排出される。
【００３９】
また、２個の台座凸部４１ｍの下端部間と、２個の位置決め凸部４１ｎの下端部間とには、それぞれ、出力用音穴４１ｋを排水穴たる係合穴４１ａに連通させる隙間が形成されている。すなわち、スピーカーＳＰとボディ４１との間の空間に出力用音穴４１ｋなどから水が浸入した場合には、その水は、２個の台座凸部４１ｍの下端部間の隙間と、２個の位置決め凸部４１ｎの下端部間の隙間とを通じて上記空間の下方へ排出され、さらに係合穴４１ａを通じてハウジング４外に排出される。また、ボディ４１の後面には、後方から見て排水用開口の直下から係合穴４１ａの真上に至る排水溝４１ｒが設けられており、この排水溝４１ｒによって係合穴４１ａへの排水が速やかに行われる。
【００４０】
ここで、図１（ａ）及び図７に示すように、入力用音穴４１ｐの内面には、後側の内形を前側よりも大きくする厚さ変更段４１ｓが設けられている。この厚さ変更段４１ｓにより、入力用音穴４１ｐの内周面の後端部には、上端部から左右両側に至る逆Ｕ字形状の凹部が形成されており、入力用音穴４１ｐの内周面において、下向きである範囲の下端面の前後の寸法（つまり、ボディ４１において前記下端面を構成する部位の厚さ）ｄ１は、上向きである範囲の上端面の前後の寸法（つまり、ボディ４１において前記上端面を構成する部位の厚さ）ｄ２よりも小さくなっている。すなわち、厚さ変更段４１ｓが、請求項における厚さ変更部である。
【００４１】
以下、本実施形態の効果を説明する。図１（ｂ）に示すように入力用音穴４１ｐが水の膜ＷＤで閉塞された場合、水の膜ＷＤの厚さ（前後の寸法、すなわち、図１（ｂ）での左右の寸法）は、表面張力により、入力用音穴４１ｐの内周面の形状の影響を受ける。本実施形態では、厚さ変更段４１ｓにより、入力用音穴４１ｐの下向きの内面の下端部の前後（図１（ａ）（ｂ）での左右）の寸法ｄ１が、入力用音穴４１ｐの上向きの内面の上端部の前後の寸法ｄ２よりも小さくなっているので、水の膜ＷＤの厚さは下端部よりも上端部で薄くなる。これにより、厚さ変更段４１ｓを設けず入力用音穴４１ｐの下向きの内面の下端部の前後の寸法を入力用音穴４１ｐの上向きの内面の上端部の前後の寸法と同等にする場合に比べ、水の膜ＷＤの上端部の厚さが薄くなるから、水の膜ＷＤでの音声の減衰が抑制される。
【００４２】
ところで、水の膜ＷＤの全体がマイクロホンＭＣに接触していると、水の膜ＷＤとマイクロホンＭＣとの間に隙間（気泡）が存在する場合に比べ、水の膜ＷＤで音声が減衰しやすい。しかし、本実施形態では、厚さ変更段４１ｓにより、入力用音穴４１ｐの内面において下向きである範囲の下端面の後端が、マイクロホンＭＣの前端よりも前側に位置しているので、入力用音穴４１ｐの内面において下向きである範囲の下端面の後端をマイクロホンＭＣの前端よりも後側とする場合に比べ、入力用音穴４１ｐを閉塞する水の膜ＷＤの上端部がマイクロホンＭＣに達しにくい。
【００４３】
なお、図８に示すように、厚さ変更部たる厚さ変更段４１ｓの下端の上下位置を、入力用音穴４１ｐの前側開口の左右で異ならせてもよい。図８の例では、厚さ変更段４１ｓの下端の上下位置を、左側（図８での右下側）で、右側（図８での左上側）よりも、上側（図８での右上側）としている。この構成を採用すれば、入力用音穴４１ｐの内面において右向きである範囲の右端面の面積を、入力用音穴４１ｐの内面において左向きである範囲の左端面の面積よりも小さくすることになるから、前記右端面の面積を前記左端面の面積と同じにする場合に比べ、水の膜ＷＤの上端部の厚さが薄くなるから、水の膜ＷＤでの音声の減衰が抑制される。
【図面の簡単な説明】
【００４４】
【図１】（ａ）（ｂ）はそれぞれ本発明の実施形態を示し、（ａ）は要部を示す断面図、（ｂ）は効果を示す説明図である。
【図２】同上の概略構成を示すブロック図である。
【図３】同上を示す分解斜視図である。
【図４】同上を示す断面図である。
【図５】同上を示し、（ａ）は正面図、（ｂ）は下面図である。
【図６】同上のボディを示す背面図である。
【図７】同上のボディの要部を示す斜視図である。
【図８】同上の変更例のボディの要部を示す斜視図である。
【符号の説明】
【００４５】
１  ドアホン子器
４  ハウジング
４１ｐ  入力用音穴
４１ｓ  厚さ変更段
ＨＳ  ドアホン親機
ＭＣ  マイクロホン
【図１】
2009273038.tif 000003
【図２】
2009273038.tif 000004
【図３】
2009273038.tif 000005
【図４】
2009273038.tif 000006
【図５】
2009273038.tif 000007
【図６】
2009273038.tif 000008
【図７】
2009273038.tif 000009
【図８】
2009273038.tif 000010